(57)【要約】【課題】切りタイマ運転中の水切れを防止する加湿器提供する。【解決手段】室内に水蒸気を放出して加湿する加湿手段と、この加湿手段に供給する水を貯留する給水タンクと、この給水タンクの重量を検知する重量検知手段と、運転モードを切替える運転モード切替手段と、所定時間後に運転停止を行う切りタイマ運転手段と、前記重量検知手段にて過去所定時間の加湿量を算出する加湿量検出手段と、表示手段とを備え、切りタイマ運転開始時には切りタイマ設定時間まで運転を継続した場合の加湿量と、給水タンク内の残水量を比較し、残水量が不足する場合には給水タンクへの給水が必要である事を報知又は表示すると共に運転モードを加湿量の少ない方へ１段階下げることで切りタイマ運転中の水切れを防止するようにした。【選択図】図３
2006226554.tif 000002
【特許請求の範囲】
【請求項１】
室内に水蒸気を放出して加湿する加湿手段と、この加湿手段に供給する水を貯留する給水タンクと、この給水タンクの重量を検知する重量検知手段と、運転モードを切替える運転モード切替手段と、所定時間後に運転停止を行う切りタイマ運転手段と、前記重量検知手段にて過去所定時間の加湿量を算出する加湿量検出手段と、表示手段とを備え、切りタイマ運転開始時には切りタイマ設定時間まで運転を継続した場合の加湿量と、給水タンク内の残水量を比較し、残水量が不足する場合には給水タンクへの給水が必要である事を報知又は表示すると共に運転モードを加湿量の少ない方へ下げる事を特徴とする加湿器。
【請求項２】
室内に水蒸気を放出して加湿する加湿手段と、この加湿手段に供給する水を貯留する給水タンクと、この給水タンクの重量を検知する重量検知手段と、運転モードを切替える運転モード切替手段と、所定時間後に運転停止を行う切りタイマ運転手段と、湿度センサと、前記運転モードと湿度センサの検出値に応じて加湿量を推定する加湿量推定手段と、表示手段を備え、切りタイマ運転開始時には切りタイマ設定時間まで運転を継続した場合の加湿量と、給水タンク内の残水量を比較し、残水量が不足する場合には給水タンクへの給水が必要である事を報知又は表示すると共に運転モードを加湿量の少ない方へ下げる事を特徴とする加湿器。
【請求項３】
切りタイマ運転継続中で給水タンクの水量が不足する場合は、所定時間毎に給水タンクへの給水が必要である事を報知又は表示すると共に運転モードを加湿量の少ない方へ更に１段階下げる事を特徴とする請求項１または２記載の加湿器。
【発明の詳細な説明】
【技術分野】
【０００１】
この発明は、水を吸い込んだフィルタに風を通過して気化させる等によって室内を加湿する加湿器に関する。
【背景技術】
【０００２】
従来よりこの種のものに於いては、ヒータにて加熱漕を直接加熱することで、室内に水蒸気を放出する加湿手段と、この加湿手段に供給する水を貯留する給水タンクと、運転モードを切替える運転モード切替手段と、所定時間後に運転停止を行う切りタイマ運転手段と、湿度センサとを備え、前記ヒータ加熱時間に応じて加湿量を推定し、給水タンクへの給水後の運転時間とヒータ加熱時間に応じて給水タンクの残水量を予測して運転可能時間として表示するものが有った。そして切りタイマ運転開始時に残水量と切りタイマ運転時間内の加湿量を比較して、切りタイマ時間終了までの残水量が不足する場合には報知を行い、使用者に給水を促すものであった。（例えば、特許文献１参照）
【特許文献１】特開２００２−５４９２号公報
【発明の開示】
【発明が解決しようとする課題】
【０００３】
しかしながら、この従来のものでは、ヒータ加熱時間によって加湿量を予測するものであるので、正確に給水タンクの残水量を予測する事は難しいだけでなく、特に給水時の給水タンクの水量が満量でなく少なく給水された場合には、実際の給水タンクの水量を把握することはできないものであった。また当然の事として給水タンクの水量がまちがって認識されるので、切りタイマ運転の報知もまちがたデータによって行われるので切りタイマ運転時間が終了するかなり前に水切れによって運転停止をするものであった。
【課題を解決するための手段】
【０００４】
この発明はこの点に着目し上記欠点を解決する為に、室内に水蒸気を放出して加湿する加湿手段と、この加湿手段に供給する水を貯留する給水タンクと、この給水タンクの重量を検知する重量検知手段と、運転モードを切替える運転モード切替手段と、所定時間後に運転停止を行う切りタイマ運転手段と、前記重量検知手段にて過去所定時間の加湿量を算出する加湿量検出手段と、表示手段とを備え、切りタイマ運転開始時には切りタイマ設定時間まで運転を継続した場合の加湿量と、給水タンク内の残水量を比較し、残水量が不足する場合には給水タンクへの給水が必要である事を報知又は表示すると共に運転モードを加湿量の少ない方へ下げるようにしたものである。
【０００５】
また室内に水蒸気を放出して加湿する加湿手段と、この加湿手段に供給する水を貯留する給水タンクと、この給水タンクの重量を検知する重量検知手段と、運転モードを切替える運転モード切替手段と、所定時間後に運転停止を行う切りタイマ運転手段と、湿度センサと、前記運転モードと湿度センサの検出値に応じて加湿量を推定する加湿量推定手段と、表示手段を備え、切りタイマ運転開始時には切りタイマ設定時間まで運転を継続した場合の加湿量と、給水タンク内の残水量を比較し、残水量が不足する場合には給水タンクへの給水が必要である事を報知又は表示すると共に運転モードを加湿量の少ない方へ下げるようにしたものである。
【０００６】
また切りタイマ運転継続中で給水タンクの水量が不足する場合は、所定時間毎に給水タンクへの給水が必要である事を報知又は表示すると共に運転モードを加湿量の少ない方へ更に１段階下げるようにしたものである。
【発明の効果】
【０００７】
この発明によれば、給水タンクの重量を検知する重量検知手段によって、給水タンクの残水量を正確に検出することができるので、切りタイマ運転中の水切れをより正確に予測する事ができると共に、水切れが発生する危険が有る場合には加湿量を自動的に下げる事で切りタイマ運転中の水切れを少なくすることができるものである。
また切りタイマ運転開始時に給水を促す報知が有ったにもかかわらず給水タンクへの給水作業が行われなかった場合でも、所定時間後に再度の報知と加湿量の下げを行うので、より切りタイマ運転中の水切れを少なくすることができるものである。
【発明を実施するための最良の形態】
【０００８】
次に、本発明の一実施形態を図面に基づいて説明する。
【実施例１】
【０００９】
１はプラスチック等の材料で形成された枠体で、上面には蒸気の吹出口２と給水タンク３の挿入口４を備え、この挿入口４にはタンク蓋５を備えている。
６は正面に備えた操作部で、運転スイッチ７、運転モード切替スイッチ８（運転モード切替手段）、切りタイマスイッチ９（切りタイマ運転手段）等のスイッチ類を備えている。
１０は前記操作部６の近傍に備えた表示部（表示手段）で、運転ランプ１１、給水ランプ１２、切りタイマランプ１３を備えている。
【００１０】
前記枠体１内には、加湿用の水を貯留するために枠体１内に出し入れ可能に収容したカートリッジ式の前記給水タンク３と、この給水タンク３から供給された水を蓄える水槽部１４と、プリーツ状に折り込まれると共に親水性の大きなフィルタ１５を、一端を前記水槽部１４の水に接触し、フィルタ１５に吸い上げられた水が、フィルタ１５を通過する空気によって気化することで加湿が行われる。
【００１１】
前記フィルタ１５の上方にはターボ式の送風ファン１６を備え、枠体１前面に備えた吸込口（図示せず）と送風ファン１６とフィルタ１５と吹出口２を連通して送風経路１７を形成している。
前記送風ファン１６とフィルタ１５の間の送風経路１７にはヒーター１８を備え、前記フィルタ１５を通過する空気を加熱する事で加湿量の増加をするものであり、送風ファン１６の風量は強弱の２段切替であり、この送風ファン１６の風量とヒーター１８の加熱によって加湿量の調整を行うものであり、前記フィルタ１５と送風ファン１６とヒーター１８で加湿手段を構成している。
【００１２】
１９は給水タンク３に貯留された水を含む給水タンク３の総重量を検出するための圧力センサや歪みセンサ等にて構成された重量センサ（重量検出手段）で、この重量センサ１９は、間接的に給水タンク３内の残水量を検出するものであり、給水タンク３の総重量をできるだけ正確に検出するようにタンク受部２０の適当な位置に配置されている。
【００１３】
２１は吸込の湿度を検知する湿度センサ。２２は吸込空気の温度を検知する温度センサ、２３はブザー（報知手段）であり、給水タンク３の総重量が重量センサ１９により不足と判断されたときに警告音を発生して使用者に報知する、２４は前記送風ファン１６を回転するファンモータである。
【００１４】
２５は制御部で、前記操作部６で設定された運転条件に応じて、送風ファン１６やヒーター１８の運転を制御することで、加湿量を調整したり、表示部１０のランプ類の表示を行うものである。
【００１５】
前記制御部２５はマイクロコンピュータ（以下、マイコンと記す）であり、内部に前記重量センサ１９の検出値とタイマ時間Ｚの値から加湿量を演算する加湿量検出手段２６を備え、制御部２５の入力側には、前記運転スイッチ７、運転モード切替スイッチ８、切タイマスイッチ９、重量センサ１９等が接続されている。
【００１６】
一方、制御部２５の出力側には、前記ヒーター１８、表示部１０、ブザー２３及びファンモータ２４等が接続されている。
【００１７】
前記運転モード切替スイッチ８は設定湿度６０％を目標に湿度センサ２１の検出値に応じて自動的にファンモータ２４とヒーター１８の運転を制御する自動運転モードや、強制的にファンモータ２４を強運転にすると共にヒーター１８を運転し最高加湿量にするヒーター加湿モードと、ファンモータ２４のみが強運転を行う強加湿モードと、ファンモータ２４のみが弱運転を行う弱加湿モード等の切替をスイッチボタンの押圧毎に切替ると共に、前記表示部１０にランプ表示を行うものである。
【００１８】
前記切りタイマスイッチ９は２時間、４時間、６時間、８時間等の設定時間をスイッチボタンの押圧毎に切替ると共に、前記表示部１０にランプ表示を行うものである。
【００１９】
図３のフローチャートについて説明すれば、通常の運転中に切りタイマスイッチ９の押圧回数によって切タイマのＴ時間が設定される。（ＳＴ１）次にＳＴ２に進み湿度センサ２１の現在湿度Ｘの読込と、重量センサ１９によって給水タンク３の重量を読み込むことで給水タンク３内の残水量Ｙを求め、タイマーＺをスタートさせる。
【００２０】
次に、ＳＴ３にて運転開始より１時間が経過しているかどうかを判定し、１時間以上でＹＥＳで有ればＳＴ４に進み、ＮＯであればＳＴ８に進む。ＳＴ４では再度湿度センサ２１の現在湿度Ｘの読込と、重量センサ１９によって給水タンク３の重量を読み込むことで給水タンク３内の残水量Ｙを求め、またタイマＺの経過時間が読み込まれ、ＳＴ５に進み、ＳＴ５では給水タンク３の残水量Ｙと過去１時間の加湿量Ａに切りタイマ終了までの時間（Ｔ−Ｚ）を掛けた値、つまり切りタイマ終了までの必要残水量を比較して残水量Ｙの方が大きければ、切りタイマ終了までに水切れの発生がないと判断しＹＥＳのＳＴ６に進み、残水量Ｙの方が小さければ、切りタイマ終了前に水切れが発生すると判断しＮＯのＳＴ９に進む。
【００２１】
そしてＳＴ６ではもし給水ランプ１２が点滅中であれば、給水タンク３の給水によって切りタイマ運転中の水切れの心配が解消されたと判断し、給水ランプ１２を消灯すると共に、加湿モードを切りタイマ運転前の加湿モードに切替え、ＳＴ７に進む。
【００２２】
一方、ＳＴ３にて運転継続時間が１時間より少ない場合には、ＳＴ８に進み、ＳＴ８では現在の設定加湿モードでの推定加湿量Ｂ、例えばヒーター１８オンでファンモータ２４が強運転で現在湿度が３０％の場合には５００cc／h、ヒーター１８オフでファンモータ２４が弱運転で現在湿度が３０％の場合には２００cc／h等の図４で予め設定されている加湿量に、切りタイマ終了までの時間（Ｔ−Ｚ）を掛けた値、つまり切りタイマ終了までの必要残水量を比較して残水量Ｙの方が大きければ、切りタイマ終了までに水切れの発生がないと判断しＹＥＳのＳＴ７に進み、残水量Ｙの方が小さければ、切りタイマ終了前に水切れが発生すると判断しＮＯのＳＴ９に進む。
【００２３】
ＳＴ９では前回の判定より１時間経過したかを判断する、つまり給水タンク３の残水量が不足するが、給水を行わずに運転を続けた場合には１時間に１回の判断を行うことになり、ＹＥＳの場合には、ＳＴ１０にて給水タンク３の残水量が不足するので給水が必要であることを使用者に認知させるために、給水ランプ１２の点滅を行うと共に、残水量の減少を少なくするために加湿モードを１段階下げたのちＳＴ７に進む。
【００２４】
またＳＴ９で前回の判定より１時間経過していない場合、つまり給水タンク３の残水量が不足するが、給水を行わずに運転を続けたが前回判定より１時間経過していない場合には、ＮＯでそのままＳＴ７に進む。
【００２５】
次にＳＴ７にて切りタイマ時間が終了したかを判断し、切りタイマ時間終了の場合はＹＥＳでＳＴ１３で加湿器の運転を停止し、切りタイマ時間終了前である場合はＳＴ１１に進み、給水タンク３の残水量を確認し、もし給水タンク３の残水量が無い場合には、ＳＴ１２にて使用者に水切れを知らしめるために給水ランプ１１を点灯し、ＳＴ１３で加湿器を停止する。
【００２６】
またＳＴ１１で給水タンク３に水が残っている場合には、ＳＴ４に戻って再度湿度センサ２１の現在湿度Ｘの読込と、重量センサ１９によって給水タンク３の重量を読み込むことで給水タンク３内の残水量Ｙを求め、またタイマＺの経過時間が読み込まれ、切りタイマ時間が終了するまで前記の動作を繰り返すものである。
【００２７】
このように給水タンク３の重量を検知する重量センサ１９によって、給水タンク３の残水量を正確に検出することができるので、切りタイマ運転中の水切れをより正確に予測する事ができると共に、水切れが発生する危険が有る場合には加湿量を自動的に下げる事で切りタイマ運転中の水切れを少なくすることができるものである。
また切りタイマ運転開始時に給水を促す表示や報知が有ったにもかかわらず給水タンク３への給水作業が行われなかった場合でも、所定時間後に再度の報知と加湿量の下げを行うので、より切りタイマ運転中の水切れを少なくすることができるものである。
【図面の簡単な説明】
【００２８】
【図１】この発明の一実施例の概略構成図。
【図２】同制御装置の概略構成図。
【図３】同要部のフローチャート図。
【図４】同加湿量の説明図。
【符号の説明】
【００２９】
３  給水タンク
８  運転モード切替スイッチ
９  切りタイマスイッチ
１０  表示部
１２  給水ランプ
１５  フィルタ
１９  重量センサ
【図１】
2006226554.tif 000003
【図２】
2006226554.tif 000004
【図３】
2006226554.tif 000005
【図４】
2006226554.tif 000006